(57)【要約】【課題】レンズホルダーの前壁面にトラッキング制御用コイルを貼付けるための瞬間接着剤がワイヤ挿通孔に流れ込むのを防止することができる光ピックアップアクチュエータを提供する。【解決手段】対物レンズ５を保持するレンズホルダー１の左右側壁１ａの前端に、ワイヤ挿通孔１ｉが穿孔された縦リブ１ｇを、該縦リブの前面がトラッキング制御用コイルを貼付けるレンズホルダー１の前壁１ｂの表面と面一になるように形成し、ワイヤ挿通孔１ｉにワイヤ４の先端部を挿通固定してレンズホルダー１を支持させた光ピックアップアクチュエータにおいて、レンズホルダー１のトラッキング制御用コイルを貼付ける前壁１ｂの表面と縦リブ１ｇのワイヤ挿通孔１ｉとの間に、接着剤の流れを阻止する凸条１１を形成した構成とする。凸条１１によって接着剤の流れを塞き止めてワイヤ挿通孔１ｉへの流れ込みを防止する。【選択図】図２
2008226304.tif 000002
【特許請求の範囲】
【請求項１】
対物レンズを保持するレンズホルダーの左右側壁の前端に、前後方向に貫通するワイヤ挿通孔が穿孔された縦リブを、該縦リブの前面がトラッキング制御用コイルを貼付けるレンズホルダーの前壁面と面一になるように形成し、縦リブのワイヤ挿通孔にワイヤの先端部を挿通固定してレンズホルダーを支持させた光ピックアップアクチュエータにおいて、
上記レンズホルダーのトラッキング制御用コイルを貼付ける前壁面と上記縦リブのワイヤ挿通孔との間に、接着剤の流れを阻止する高さが少なくとも０．１ｍｍ、幅が少なくとも０．１５ｍｍの凸条を形成し、この凸条の上端部を、上記レンズホルダーの成形金型の合わせ目を避けるように横向きに曲げて形成したことを特徴とする光ピックアップアクチュエータ。
【請求項２】
対物レンズを保持するレンズホルダーの左右側壁の前端に、前後方向に貫通するワイヤ挿通孔が穿孔された縦リブを、該縦リブの前面がトラッキング制御用コイルを貼付けるレンズホルダーの前壁面と面一になるように形成し、縦リブのワイヤ挿通孔にワイヤの先端部を挿通固定してレンズホルダーを支持させた光ピックアップアクチュエータにおいて、
上記レンズホルダーのトラッキング制御用コイルを貼付ける前壁面と上記縦リブのワイヤ挿通孔との間に、接着剤の流れを阻止する凸条を形成したことを特徴とする光ピックアップアクチュエータ。
【請求項３】
上記凸条の上端部を、上記レンズホルダーの成形金型の合わせ目を避けるように横向きに曲げて形成したことを特徴とする請求項２に記載の光ピックアップアクチュエータ。
【請求項４】
上記縦リブの前面のワイヤ挿通孔の周囲に環状凸部を形成したことを特徴とする請求項１ないし請求項３のいずれかに記載の光ピックアップアクチュエータ。
【発明の詳細な説明】
【技術分野】
【０００１】
本発明は、ＣＤ、ＤＶＤ等の光ディスク装置に搭載される光ピックアップの対物レンズを駆動制御する光ピックアップアクチュエータに関し、特に、トラッキング制御用コイルを貼付けるための瞬間接着剤が、レンズホルダーを支持するワイヤの挿通孔に流れ込まないように改良した光ピックアップアクチュエータに関する。
【背景技術】
【０００２】
周知のように、光ディスク装置に搭載される光ピックアップは、そのベースにレーザーダイオード、回折格子（グレーティング）、偏光ビームスプリッター、立上げミラー、対物レンズ、対物レンズアクチュエータ、光検出器などを搭載したものであって、レーザーダイオードから発せられたレーザービームを回折格子で３ビームに回折し、変更ビームスプリッターを透過したビームを立上げミラーで上方に反射させて対物レンズで集光させながら光ディスクに照射し、その反射光束を光検出器で検出して、記録・再生を行うものである。このとき、対物レンズはアクチュエータによって駆動され、光ディスクに対するフォーカス制御、トラッキング制御、チルト制御が行われるようになっている。
【０００３】
光ピックアップアクチュエータには種々のタイプのものが存在するが、そのうち、所謂「ワイヤ式アクチュエータ」と呼ばれているものは、対物レンズと制御用コイルを取付けたレンズホルダーの両側壁を、複数の平行なワイヤで支持した概略構造を有している。かかるワイヤ式アクチュエータの一つとして、図６に示すようなレンズホルダー１００を使用し、そのレンズ保持部１０１に対物レンズ（不図示）を取付けると共に、レンズホルダーの前壁面１０２にトラッキング制御用コイル（不図示）を、レンズホルダーの四周壁の内側にフォーカス制御用コイル（不図示）を、レンズホルダーの底壁裏面にチルト制御用コイル（不図示）をそれぞれ貼付け、両側壁の縦リブ１０３，１０４に３つずつ形成したワイヤ挿通孔１０３ａ，１０４ａにワイヤ（不図示）の先端部を後方からそれぞれ挿通してレンズホルダー１００を支持させたアクチュエータがある。
【０００４】
一方、レンズホルダーの外壁面にトラッキングコイルの取付け部を設けると共に、この取付け部にトラッキングコイル固着用の樹脂接着剤を受け入れる樹脂塗布用凹部を形成して、樹脂接着剤の塗布量を一定に規定するようにしたワイヤ式の光ピックアップアクチュエータが公知になっている（特許文献１）。また、レンズホルダー中央のコイル保持部の四隅を切り欠いて接着剤注入部を形成し、コイル保持部にフォーカシングコイルを外嵌して四隅の接着剤注入部から少量の接着剤を注入するだけで接着できるようにした光ヘッドも公知になっている（特許文献２）。
【特許文献１】特開２００６−３１９０３号公報
【特許文献２】特開２００６−１７２５５２号公報
【発明の開示】
【発明が解決しようとする課題】
【０００５】
しかしながら、図６に示すレンズホルダー１００を組み込んだワイヤ式のアクチュエータは、ワイヤ挿通孔１０３ａを形成した縦リブ１０３の前面が、トラッキング制御用コイルを貼付けるレンズホルダーの前壁面１０２と面一になっているため、トラッキング制御用コイルを貼付けるための瞬間接着剤を前壁面１０２のコイル貼付け箇所に塗布したときに、瞬間接着剤が流れてワイヤ挿通孔１０３ａに流入しやすく、このように瞬間接着剤がワイヤ挿通孔１０３ａに流入して固化すると、ワイヤを挿入できないという問題がある。
【０００６】
これに対し、特許文献１の光ピックアップアクチュエータは、レンズホルダー外壁面のトラッキングコイル取付け部に樹脂塗布用凹部を形成して、樹脂接着剤の塗布量を一定に規定しているため、樹脂接着剤の流出は減少するものと思われる。従って、このような樹脂塗布用凹部を、前記図６に示すレンズホルダーの前壁面１０２に形成すると、ワイヤ挿通孔への接着剤の流入は一応防止されるが、塗布量が規定量を越えたときには接着剤が流れだしてワイヤ挿通孔に流入するので、好ましい解決策とは言えない。また、このような樹脂塗布用凹部を形成する場合は、成形金型に肉盛りをすることが必要になるので、成形金型の改造コストが高くなるという問題もある。
【０００７】
尚、前記特許文献２の光ヘッドは、フォーカシングコイルを外嵌するコイル保持部の四隅に接着剤注入部を形成し、少量の接着剤でフォーカシングコイルを固着して軽量化を図る技術であるから、このような技術を、前記図６に示すレンズホルダーを組み込んだアクチュエータに採用しても、上記の問題を解決することはできない。
【０００８】
本発明は上記事情の下になされたもので、その解決しようとする課題は、レンズホルダーの前壁面にトラッキング制御用コイルを貼付けるための瞬間接着剤がワイヤ挿通孔に流れ込むのを防止することができる光ピックアップアクチュエータを提供することにある。
【課題を解決するための手段】
【０００９】
上記課題を解決するため、本発明に係る光ピックアップアクチュエータは、対物レンズを保持するレンズホルダーの左右側壁の前端に、前後方向に貫通するワイヤ挿通孔が穿孔された縦リブを、該縦リブの前面がトラッキング制御用コイルを貼付けるレンズホルダーの前壁面と面一になるように形成し、縦リブのワイヤ挿通孔にワイヤの先端部を挿通固定してレンズホルダーを支持させた光ピックアップアクチュエータにおいて、上記レンズホルダーのトラッキング制御用コイルを貼付ける前壁面と上記縦リブのワイヤ挿通孔との間に、接着剤の流れを阻止する凸条を形成したことを特徴とするものである。
【００１０】
本発明の光ピックアップアクチュエータにおいては、凸条の上端部を、レンズホルダーの成形金型の合わせ目を避けるように横向きに曲げて形成することが好ましい。また、縦リブ前面のワイヤ挿通孔の周囲に環状凸部を形成することも好ましい。
【００１１】
そして、本発明の更に具体的な好ましい光ピックアップアクチュエータは、対物レンズを保持するレンズホルダーの左右側壁の前端に、前後方向に貫通するワイヤ挿通孔が穿孔された縦リブを、該縦リブの前面がトラッキング制御用コイルを貼付けるレンズホルダーの前壁面と面一になるように形成し、縦リブのワイヤ挿通孔にワイヤの先端部を挿通固定してレンズホルダーを支持させた光ピックアップアクチュエータにおいて、上記レンズホルダーのトラッキング制御用コイルを貼付ける前壁面と上記縦リブのワイヤ挿通孔との間に、接着剤の流れを阻止する高さが少なくとも０．１ｍｍ、幅が少なくとも０．１５ｍｍの凸条を形成し、この凸条の上端部を、上記レンズホルダーの成形金型の合わせ目を避けるように横向きに曲げて形成したことを特徴とするものである。
【発明の効果】
【００１２】
本発明の光ピックアップアクチュエータのように、レンズホルダーのトラッキング制御用コイルを貼付ける前壁面と縦リブのワイヤ挿通孔との間に接着剤の流れを阻止する凸条が形成されていると、レンズホルダーの前壁面に塗布した接着剤がワイヤ挿通孔の方へ流れ出しても凸条で塞き止められるため、接着剤がワイヤ挿通孔に流れ込むのを防止することができる。従って、組立ての効率が向上し、歩留りも高くなる。しかも、このような凸条は、レンズホルダーの成形金型を切削して凸条成形用の溝を設けることで成形できるため、前述のように成形金型を肉盛りして樹脂塗布用凹部を成形する場合に比べると、成形金型の加工コストが相当安くなり、経済的に有利である。その場合、凸条の上端部を、成形金型の合わせ目を避けるように横向きに曲げて成形すると、成形金型の合わせ目部分の強度を維持できるので、金型寿命が延びるという利点がある。
【００１３】
また、縦リブ前面のワイヤ挿通孔の周囲に環状凸部を形成した光ピックアップアクチュエータは、上記の凸条とこの環状凸部によって、接着剤のワイヤ挿通孔への流れ込みが二重に防止されるため、流れ込み防止効果が一層顕著になる。そして、本発明の更に好ましい光ピックアップアクチュエータのように、凸条の高さが少なくとも０．１ｍｍ、幅が少なくとも０．１５ｍｍに設定されていると、通常の接着剤の塗布量（０．１ｍｇ程度）であれば、確実に接着剤をせきとめてワイヤ挿通孔への流れ込みを防止することができる。
【発明を実施するための最良の形態】
【００１４】
以下、図面を参照して本発明の具体的な実施形態を詳述する。
【００１５】
図１は本発明の一実施形態に係る光ピックアップアクチュエータの斜視図、図２は同アクチュエータに組み込まれるレンズホルダーの斜視図、図３は同レンズホルダーにトラッキング制御用コイル、フォーカス制御用コイル、チルト制御用コイルを貼付ける前の分解斜視図、図４はレンズホルダーの他の例を示す部分斜視図、図５はレンズホルダーの更に他の例を示す部分斜視図である。
【００１６】
図１に示すように、この光ピックアップアクチュエータは、アクチュエータベース３の上にゲルボックス２が接着剤で取付固定されており、このゲルボックス２の両側のゲル充填部２ａ，２ａを通って前方へ突き出す片側３本（両側で６本）のワイヤ４によって、レンズホルダー１が可動状態で支持されている。
【００１７】
上記のレンズホルダー１は、図２に示すように、合成樹脂を射出成形することによって、左右側壁１ａ，１ａと前後壁１ｂ，１ｂとで構成される外周壁の中央にレンズ保持部１ｃを一体に形成したものであり、図１に示すように、このレンズ保持部１ｃには対物レンズ５が嵌合、接着されている。
【００１８】
そして、図１，図３に示すように、左右側壁１ａ，１ａと前後壁１ｂ，１ｂとで構成される外周壁の内側には、フォーカス制御用コイル６が前壁１ｂの開口部１ｄから挿入されて貼付けられ、前後壁１ｂ，１ｂの表面には、トラッキング制御用コイル７が位置決め凸部１ｅに外嵌されて２つずつ合計４つ貼付けられている。また、図３に示すように、レンズホルダー１の下面には、２つのチルト制御用コイル８，８が左右のヨーク遊挿口１ｆ，１ｆをそれぞれ取り囲むように貼付けられており、このヨーク遊挿口１ｆ，１ｆにアクチュエータベース３から立ち上がる左右のヨーク（不図示）が下方から遊挿されるようになっている。
【００１９】
レンズホルダー１の左右側壁１ａ，１ａの前端には、図２に示すように、第一の縦リブ１ｇ，１ｇが形成されており、この縦リブ１ｇ，１ｇの前面は、前壁１ｂの表面（前壁面）と面一になっている。そして、左右側壁１ａ，１ａの前後方向中間部には、第二の縦リブ１ｈ，１ｈが形成されており、これら第一及び第二の縦リブ１ｇ，１ｈには、前記ワイヤ４の先端部を挿通する３つのワイヤ挿通孔１ｉ，１ｊが前後方向に貫通して形成されている。
【００２０】
また、第一の縦リブ１ｇ，１ｇの前面には、突片１ｋがそれぞれのワイヤ挿通孔１ｉの下側から前方に向かって３つずつ、合計６つ突設されており、図１に示すように、これらの突片１ｋに前記のフォーカス制御用コイル６、トラッキング制御用コイル７、チルト制御用コイル８のそれぞれの引出し線が巻き付けられている。そして、前記の各ワイヤ４の先端部は、第二の縦リブ１ｈのワイヤ挿通孔１ｊと、第一の縦リブ１ｇのワイヤ挿通孔１ｉに挿通されて、上記の突片１ｋに巻き付けられた各制御用コイルの引出し線と半田９で接続されており、他方、各ワイヤ４の後端部は、図１に示すように、ゲルボックス２の後面から左右両側面に貼着されたフレキシブルプリント配線板（ＦＰＣ）１０のそれぞれのランド部に半田９で接続されている。かくして、レンズホルダー１は、合計６本のワイヤ４により可動状態で支持されると共に、これらのワイヤ４によって各制御コイルに通電されるようになっている。
【００２１】
図２に示すように、このレンズホルダー１のトラッキング制御用コイル７を貼付ける前壁１ｂと、第一の縦リブ１ｇに形成されたワイヤ挿通孔１ｉとの間には凸条１１が形成されている。この凸条１１は、トラッキング制御用コイル７を貼付けるために前壁１ｂに塗布した瞬間接着剤の流れを塞き止めて、ワイヤ挿通孔１ｉに瞬間接着剤が流れ込むのを防止する役目を果たすものであって、好ましくは、この実施形態のレンズホルダー１のように第一の縦リブ１ｇの付け根部分に形成される。
【００２２】
この凸条１１は、その高さを少なくとも０．１ｍｍ（好ましくは０．１〜０．２ｍｍ程度）に設定すると共に、その幅を少なくとも０．１５ｍｍ（好ましくは０．１５〜０．２５ｍｍ程度）に設定するのがよく、このように設定すると、通常の瞬間接着剤の塗布量（０．１ｍｇ程度）であれば、確実に瞬間接着剤を塞き止めてワイヤ挿通孔１ｉへの流れ込みを防止することができる。
【００２３】
図２に示すように、この凸条１１は第一の縦リブ１ｇの付け根部分に沿って上下方向に直線的に形成されているが、このように形成すると、凸条１１の上端がレンズホルダーの成形金型の合わせ目に位置することになるため、成形金型の合わせ目部分の強度が低下する恐れがある。そこで、図４に示すように、凸条１１の上端部１１ａを成形金型の合わせ目を避けるように横向きに曲げて形成することによって、成形金型の合わせ目部分の強度を維持し、成形金型の寿命を延ばすことが好ましい。
【００２４】
また、必要に応じて、図５に示すように、縦リブ１ｇ前面のワイヤ挿通孔１ｉの周囲に環状凸部１２を形成することが好ましい。このような環状凸部１２を形成すると、上記凸条１１とこの環状凸部１２によって、瞬間接着剤のワイヤ挿通孔１ｉへの流れが二重に塞き止められるため、流れ込み防止効果が一層顕著になる利点がある。尚、この環状凸部１２の高さや幅は、上記凸条１１のそれらと同様に設定することが好ましい。
【００２５】
上記のレンズホルダー１の前後には、図１に示すように、一組のマグネット１３，１３が配置されており、これらのマグネット１３，１３は、アクチュエータベース３から起立する取付片３ａ，３ａに取付固定されている。
【００２６】
以上のような構成の光ピックアップアクチュエータは、光ピックアップベースの立上げミラーの真上に対物レンズ５が位置するように位置決めされ、アクチュエータベース３が光ピックアップベースに接着されて取付けられる。そして、立上げミラーで上方に反射されたビームを対物レンズ５で集光して光ディスクに照射するときに、フォーカス制御用コイル６、トラッキング制御用コイル７、チルト制御用コイル８がワイヤ４を通じて通電制御され、マグネット１３，１３間の磁界によるローレンツ力を受けて、対物レンズ５を保持したレンズホルダー１が制御動作し、フォーカス制御、トラッキング制御、チルト制御が行われる。この制御動作に伴うワイヤ４の不要な共振は、ゲルボックス２の両側のゲル充填部２ａによって減衰される。
【００２７】
本発明の光ピックアップアクチュエータは、以上説明したように、トラッキング制御用コイルをレンズホルダーの前壁に貼付けるために接着剤を塗布したときに、接着剤の流れを凸条によって塞き止め、更にワイヤ挿通孔の周囲に環状凸部が形成されている場合は、上記の凸条と環状凸部によって接着剤の流れを二重に塞き止めるため、接着剤がワイヤ挿通孔に流れ込むのを確実に防止して、組立ての効率および歩留りを高めることができる。そして、凸条の上端を、レンズホルダーの成形金型の合わせ目を避けるように横向きに曲げて形成したものは、成形金型の合わせ目部分の強度を維持できるので、金型寿命が延びるという利点を有する。
【図面の簡単な説明】
【００２８】
【図１】本発明の一実施形態に係る光ピックアップアクチュエータの斜視図である。
【図２】同アクチュエータに組み込まれるレンズホルダーの斜視図である。
【図３】同レンズホルダーにトラッキング制御用コイル、フォーカス制御用コイル、チルト制御用コイルを貼付ける前の分解斜視図である。
【図４】レンズホルダーの他の例を示す部分斜視図である。
【図５】レンズホルダーの更に他の例を示す部分斜視図である。
【図６】従来の光ピックアップアクチュエータに組み込まれるレンズホルダーの斜視図である。
【符号の説明】
【００２９】
１    レンズホルダー
１ａ  左右側壁
１ｂ  前後壁
１ｃ  レンズ保持部
１ｇ  第一の縦リブ
１ｉ，１ｊ  ワイヤ挿通孔
２    ゲルボックス
３    アクチュエータベース
４    ワイヤ
５    対物レンズ
６    フォーカス制御用コイル
７    トラック制御用コイル
８    チルト制御用コイル
１１  凸条
１１ａ  凸条の上端部
１２  環状凸部
【図１】
2008226304.tif 000003
【図２】
2008226304.tif 000004
【図３】
2008226304.tif 000005
【図４】
2008226304.tif 000006
【図５】
2008226304.tif 000007
【図６】
2008226304.tif 000008